(57)【要約】【課題】対象物を掴み易く構成され、また、安価に構成される指カバーとする。【解決手段】展開状態から組上げられた状態で使用者の指に装着される指カバー１であって、組上げられて指に装着された状態において指の腹部分に配置される基部２と、基部２に連接されて基部２から左右方向に延出し、組上げられて指に装着された状態において指の側方及び上方を覆う左右一対の横片部３Ｌ・３Ｒと、基部２に連接されて基部２から前向に延出し、組上げられて指に装着された状態において指の前方及び上方を覆う前片部４と、を備え、一対の横片部３Ｌ・３Ｒ同士を連結して環状に形成し、環状に形成された一対の横片部３Ｌ・３Ｒ内に前片部４を湾曲させつつ挿入することによって、展開状態から組上げられるものとする。【選択図】図１
2020195763.tif 000002
【特許請求の範囲】
【請求項１】
展開状態から組上げられた状態で使用者の指に装着される指カバーであって、
組上げられて指に装着された状態において指の腹部分に配置される基部と、
前記基部に連接されて前記基部から左右方向に延出し、組上げられて指に装着された状態において指の側方及び上方を覆う左右一対の横片部と、
前記基部に連接されて前記基部から前向に延出し、組上げられて指に装着された状態において指の前方及び上方を覆う前片部と、を備え、
前記一対の横片部同士を連結して環状に形成し、前記環状に形成された前記一対の横片部内に前片部を湾曲させつつ挿入することによって、展開状態から組上げられる、
指カバー。
【請求項２】
前記横片部と前記前縁部とに連接されて前記横片部と前記前片部との境界部分に配置され、組上げられて指に装着された状態において前記横片部よりも指先側において指の側方に配置されるカバー部を備える、
請求項１に記載の指カバー。
【請求項３】
前記前片部は、組上げられる際に、前記環状に形成された前記一対の横片部から突出する前記前片部の先端部分で構成される折返し部を備え、
前記折返し部は、組上げられる際に、前記環状に形成された前記一対の横片部の縁部を挟むようにして折返される、
請求項１または請求項２に記載の指カバー。
【請求項４】
前記指カバーは、複数個が予め連接されて一体的に構成される、
請求項１から請求項３のいずれか一項に記載の指カバー。
【発明の詳細な説明】
【技術分野】
【０００１】
本発明は、指カバーの技術に関する。
【背景技術】
【０００２】
従来、使用者の指に装着されて当該指を覆うようにして対象物を摘んだ指（または爪）が汚れることを防止する指カバーに関する技術は種々知られている。前記指カバーは、例えば、スナック菓子、揚げ料理、肉類、または魚介類等の食物を手掴みする際に、食物の表面の調味料または油等で指が汚れることを防止する、手掴み食用指カバーとして用いられる。
前記指カバーには、例えば、四角錘状に形成されて指に装着する構成のものや、蝶番状に構成されるものがある（特許文献１または特許文献２参照）。
【先行技術文献】
【特許文献】
【０００３】
【特許文献１】特開２０１５−２００４７号公報
【特許文献２】登録実用新案第３１６０６２１号公報
【発明の概要】
【発明が解決しようとする課題】
【０００４】
しかしながら、前記指カバーでは、より安価であって対象物をより掴み易いものが求められている。
【０００５】
本発明は以上の如き状況に鑑みてなされたものであり、対象物を掴み易く、また、安価に構成される指カバーを提供することを課題とする。
【課題を解決するための手段】
【０００６】
本発明の解決しようとする課題は以上の如くであり、次にこの課題を解決するための手段を説明する。
【０００７】
即ち、請求項１においては、展開状態から組上げられた状態で使用者の指に装着される指カバーであって、組上げられて指に装着された状態において指の腹部分に配置される基部と、前記基部に連接されて前記基部から左右方向に延出し、組上げられて指に装着された状態において指の側方及び上方を覆う左右一対の横片部と、前記基部に連接されて前記基部から前向に延出し、組上げられて指に装着された状態において指の前方及び上方を覆う前片部と、を備え、前記一対の横片部同士を連結して環状に形成し、前記環状に形成された前記一対の横片部内に前片部を湾曲させつつ挿入することによって、展開状態から組上げられるものである。
【０００８】
請求項２においては、前記横片部と前記前縁部とに連接されて前記横片部と前記前片部との境界部分に配置され、組上げられて指に装着された状態において前記横片部よりも指先側において指の側方に配置されるカバー部を備えるものである。
【０００９】
請求項３においては、前記前片部は、組上げられる際に、前記環状に形成された前記一対の横片部から突出する前記前片部の先端部分で構成される折返し部を備え、前記折返し部は、組上げられる際に、前記環状に形成された前記一対の横片部の縁部を挟むようにして折返されるものである。
【００１０】
請求項４においては、前記指カバーは、複数個が予め連接されて一体的に構成されるものである。
【発明の効果】
【００１１】
本発明の効果として、以下に示すような効果を奏する。
即ち、本発明によれば、対象物を掴み易くまた安価に構成することができる。
【図面の簡単な説明】
【００１２】
【図１】本発明の実施形態に係る指カバーを示す斜視図。
【図２】同じく指カバーの展開状態を示す平面図。
【図３】同じく指カバーを組上げる状態を示す平面図。
【図４】同じく指カバーを組上げる状態を示す平面図。
【図５】同じく指カバーを組上げた状態を示す平面図。
【図６】同じく指カバーの展開状態を示す平面図。
【図７】同じく指カバーを組上げる状態を示す平面図。
【図８】同じく指カバーの展開状態を示す平面図。
【図９】同じく指カバーを組上げる状態を示す平面図。
【図１０】同じく指カバーを組上げる状態を示す平面図。
【図１１】同じく指カバーを組上げる状態を示す平面図。
【図１２】同じく指カバーの展開状態を示す平面図。
【図１３】同じく指カバーの展開状態を示す背面図。
【図１４】同じく指カバーの積層状態を示す斜視図。
【図１５】同じく指カバーの展開状態を示す平面図。
【図１６】同じく指カバーの展開状態を示す平面図。
【図１７】同じく指カバーの展開状態を示す平面図。
【図１８】同じく指カバーの展開状態を示す平面図。
【図１９】同じく指カバーを組上げる状態を示す平面図。
【図２０】同じく指カバーの展開状態を示す平面図。
【図２１】同じく指カバーを示す斜視図。
【発明を実施するための形態】
【００１３】
次に、図１から図２１に記載の指カバー１について説明する。なお以下の説明では、指（指カバー１が装着される指）の突出方向を前後方向とし指の爪が配置される方向を上方として指カバー１について説明するが、指カバー１の方向をこれに限定するものではない。
【００１４】
図１から図５に示すように、指カバー１は、略ドーム状に構成されて、使用者の単数本または複数本の指に装着されて当該指を覆うようにして、対象物を摘んだ指（または爪）が汚れることを防止する。指カバー１は、例えば、スナック菓子、揚げ料理、肉類、または魚介類等の食物を手掴みする際に、食物の表面の調味料または油等で指が汚れることを防止する、手掴み食用指カバー１として用いられる。
また、指カバー１は、飲食物の調味料または油等で指が汚れることを防止すること意外に、指が汚れることを防止する他の用途（例えば、汚物を掴む際に指が汚れることを防止する用途等）、または、指で摘むことによって対象物が汚れることを防止する用途（例えば、総菜を指で掴む際に指が汚れることを防止する用途等）に広く用いることもできる。
指カバー１は、耐油性や耐水性を有する紙製素材（例えば、ボール紙の表面に、グラシン紙やパラフィン紙のように、紙（板紙）の表面に所定のフィルムが設けられた素材）で構成される。なお、指カバー１は、フィルム、シリコン樹脂等の樹脂素材、または、ゴム素材で構成することもできる。
指カバー１は、所定の形状からなる展開状態の紙製素材から組上げることによって構成され、組上げられた状態で使用者の指に装着される。
【００１５】
まず、展開状態の指カバー１について説明する。
指カバー１は、展開状態では、平面視で略十字状に構成される。指カバー１は、基部２と、左右一対の横片部３・３と、前片部４と、左右一対のカバー部５・５と、を備える。
【００１６】
基部２は、指カバー１が組上げられて指に装着された状態において、指の腹部分の下方に配置される。
基部２は、前後方向を長手方向とする平面視長方形上に構成される。
【００１７】
横片部３は、指カバー１が組上げられて指に装着された状態において、指の側方及び上方を覆う。
横片部３は、基部２の前端部に連接される。一対の横片部３・３は、基部２の前端部から左右方向（基部２の長手方向と直交する方向）にそれぞれ延出する。一対の横片部３・３のうち一方の横片部３（左方の横片部３Ｌ）は、他方の横片部３（右方の横片部３Ｒ）に比べて、基部２から延出する方向の長さが長く構成される。
なお、仕様に応じて、左方の横片部３Ｌは右方の横片部３Ｒに比べて基部２から延出する方向の長さが短く構成することもでき、また、左方の横片部３Ｌと右方の横片部３Ｒとは基部２から延出する方向の長さが等しく構成することもできる。
【００１８】
横片部３は、連結手段１０を有する。
連結手段１０は、指カバー１が組上げられた状態において、一対の横片部３・３が環状に形成されるように一対の横片部３・３同士を連結する。
連結手段１０は、一対の横片部３・３のそれぞれに設けられる切込み１１で構成される。
左方の横片部３Ｌの切込み１１は、左端部の前縁部から後方に向かって形成される。左方の横片部３Ｌの連結手段１０は、左右方向に二個並べて形成される。
右方の横片部３Ｒの切込み１１は、右端部の後縁部から前方に向かって形成される。右方の横片部３Ｒの切込み１１は、左右方向に二個並べて形成される。
【００１９】
なお、連結手段１０の切込み１１は、一対の横片部３・３に形成される向きをそれぞれ前後反対方向に形成される構成とすることもでき、また、一対の横片部３・３のうちいずれか一方に形成される構成とすることもできる。また、連結手段１０の切込み１１の個数については、単数個または三個以上で構成することもできる。
【００２０】
前片部４は、指カバー１が組上げられて指に装着された状態において、指の前方及び上方を覆う。
前片部４は、基部２の前端部に連接される。前片部４は、基部２の前端部から前方（基部２の長手方向）に延出する。
【００２１】
カバー部５・５は、指カバー１が組上げられて指に装着された状態において、横片部３よりも前方（指先側）において指の側方に配置される。
一対のカバー部５・５は、平面視三角形状に形成されて、左方の横片部３Ｌと前片部４との境界部分、および、右方の横片部３Ｒと前片部４との境界部分にそれぞれ配置される。左方のカバー部５Ｌは、左方の横片部３Ｌの右端部の前縁部と、前片部４の後端部の左縁部と、に連接される。右方のカバー部５Ｒは、右方の横片部３Ｒの左端部の前縁部と、前片部４の後端部の右縁部と、に連接される。
【００２２】
展開状態の指カバー１を組上げる方法について説明する。
まず、一対の横片部３・３の先端部をそれぞれ上方に持ち上げて、一対の横片部３・３の連結手段１０（切込み１１）同士を差込むようにして連結し、一対の横片部３・３を環状に形成する。このとき、使用者の指の大きさに合わせて任意の切込み１１同士を連結させて、環状に形成された一対の横片部３・３の大きさを調節する。
次に、前片部４を、上後方に湾曲させつつ環状に形成された一対の横片部３・３内に挿入する。このとき、前片部４は、弾性変形して環状に形成された一対の横片部３・３の上部下面に当接する。
このようにして、指カバー１は、展開状態から組上げられて基部２と横片部３・３と前片部４とによって略ドーム状に構成されて、使用者の指に装着されて対象物を摘んだ指が汚れることを防止することができる。
【００２３】
このように構成される指カバー１では、組上げられて指に装着された状態において、指の腹部分に配置される基部２と、指の側方及び上方を覆う左右一対の横片部３・３と、指の前方及び上方を覆う前片部４と、を備え、一対の横片部３・３同士を連結して環状に形成し、前記環状に形成された一対の横片部３・３内に前片部４を湾曲させつつ挿入することから、対象物を掴み易く、また、安価に構成することができる。また、指カバー１では、展開状態から組上げる作業を容易に行うことができる。
【００２４】
またこのように、組上げられて指に装着された状態において横片部３・３よりも指先側において指の側方に配置されるカバー部５・５を備えることから、使用者の指に装着されて対象物を摘んだ指が汚れることをより確実に防止することができる。
またこのように、指カバー１が紙製素材で構成されることから、例えば、パーティやファーストフード店等で無償提供されて使い捨てされる用途に好適なものとされる。
【００２５】
前片部４は、指カバー１を組上げるにあたって環状に形成された一対の横片部３・３に前片部４を挿入した際に、前片部４の先端部（前端部）が環状に形成された一対の横片部３・３よりも後方に突出するように構成される。前片部４における前記環状に形成された一対の横片部３・３よりも突出する部分は、折返し部２１として構成される。
指カバー１を組上げる際には、前記環状に形成された一対の横片部３・３の上部後縁部を挟込むようにして、折返し部２１を上方に折返すように折曲げる。このとき、前片部４の先端部に印刷等によって設けられた折線２２に従って折返し部２１を折曲る。
【００２６】
このように、折返し部２１は、指カバー１が組上げられる際に、前記環状に形成された一対の横片部３・３の縁部を挟込むようにして折返されることから、前記環状に形成された一対の横片部３・３内に挿入された前片部４が当該一対の横片部３・３から脱落することを防止することができ、指カバー１が略ドーム状に構成された状態を保持することができる。
【００２７】
図６から図７に示すように、指カバー１が組上げられる際に、折返し部２１を折返す構成に代えて、前片部４が左右一対の保持用スリット２３・２３を備える構成とすることもできる。
保持用スリット２３・２３は、指カバー１の展開状態において、前片部４の先端部近傍の左縁部および右縁部から斜め前方に向かってそれぞれ形成される。
指カバー１を組上げる際に、前記環状に形成された一対の横片部３・３の上部後縁部を保持用スリット２３・２３に挿入することによって、環状に形成された一対の横片部３・３内に前片部４が挿入された状態を保持して、前片部４が当該一対の横片部３・３から脱落することを防止する。
なお、折返し部２１および保持スリットに代えて、前片部４の先端部の表面に低粘着の接着剤が設けられて、指カバー１を組上げる際に、環状に形成された一対の横片部３・３の上部底面に前片部４の先端部を前記接着剤によって連結する構成とすることもできる。
【００２８】
また、図８から図１１に示すように、横片部３・３の連結手段１０は、切込み１１に代えて、ロック部１２と挿入口１３とで構成することもできる。
指カバー１を組上げる際に、ロック部１２を挿入口１３に差込むようにして一対の横片部３・３同士を連結し、一対の横片部３・３を環状に形成する。ロック部１２は、一対の横片部３・３のうちいずれか一方の横片部３（本実施形態では左方の横片部３Ｌ）の端部に設けられ、挿入口１３は、いずれか他方の横片部３（本実施形態では右方の横片部３Ｒ）の端部に設けられる。
ロック部１２は、左方の横片部３Ｌの左端部において、前縁部から後方に向かって切込みが形成され且つ後縁部から前方に向かって切込みが形成されて、左方の横片部３Ｌの前縁部の前端部および後端部を折曲げ可能に構成される部分で構成される。
挿入口１３は、前後中央に前後方向に形成される切込みで構成される。
【００２９】
このように構成されるとき、展開状態の指カバー１を組上げる際には、まず、左方の横片部３Ｌの左端部における前縁部の前端部および後端部（ロック部１２）をそれぞれ上方に折曲げて、左方の横片部３Ｌの左端部を凸状に形成する。
次に、前記凸状に形成される左方の横片部３Ｌの左端部（ロック部１２）を、挿入口１３に挿入する。
次に、挿入口１３に挿入された状態で、前記折曲げられた左方の横片部３Ｌの左端部における前縁部の前端部および後端部を展開する。
このようにして、一対の横片部３・３を環状に形成する。
【００３０】
また、図１２に示すように、ロック部１４は、横片部３・３の前縁部および後縁部をそれぞれ複数段のクランク状（かぎ状）に形成して構成することもできる。
このように構成されるとき、展開状態の指カバー１を組上げる際には、ロック部１４を挿入口１３に押込むようにして挿入して、一対の横片部３・３を環状に形成する。
このようなロック部１４の構成は、指カバー１が紙製素材で構成される場合において横片部３・３を連結する構成として好適である。
【００３１】
また、図１３に示すように、連結手段１０は、切込み１１に代えて、一対の横片部３・３のうちいずれか一方の横片部３の表面または裏面に再剥離および再粘着可能な低粘着の接着剤１５が設けられて、指カバー１を組上げる際に、一対の横片部３・３同士を接着剤によって連結する構成とすることもできる。
【００３２】
なお、指カバー１は、予め展開状態の形状（平面視略十字状）に形成される構成の他に、切抜き加工が施された一枚の台紙から切り抜く構成とすることもできる。
また、指カバー１は、裏面の一部（例えば、横片部３の先端部または前片部４の先端部）または全部に低粘着の接着剤が設けられ複数枚の指カバー１が積層された状態とされ、最上部の指カバー１から順に剥がすようにして使用される構成とすることもできる（図１４参照）。
【００３３】
なお、複数個の指カバー１を同時に用いる場合には、複数個の指カバー１同士を連結可能に構成することもできる。このとき、指カバー１の基部２の後端部に、例えば、低粘着の接着剤２０（図１５参照）、切欠き、ロック部および挿入口等の連結手段を設けて、複数個の指カバー１を連結可能とする。また、前記指カバー１の基部２の後端部に低粘着の接着剤２０の連結手段を設けて構成する場合には、前述のように、複数枚の指カバー１が積層された状態とされ最上部の指カバー１から順に剥がすようにして使用される構成とすることもできる（図１４参照）。
【００３４】
図１６に示すように、複数個（三個）の指カバー１Ａ・１Ｂ・１Ｃが予め連接されて一体的に構成することもできる。三個の指カバー１Ａ・１Ｂ・１Ｃのそれぞれの基部２ａ・２ｂ・２ｃの後端部が予め連接される。
このように構成されることによって、複数個の指カバー１Ａ・１Ｂ・１Ｃを用いて対象物を摘む際に、指に装着された指カバー１Ａ・１Ｂ・１Ｃが指から脱落しまたズレること等を抑制することができる。
【００３５】
また、複数個の指カバー１Ａ・１Ｂ・１Ｃは、それぞれの基部２ａ・２ｂ・２ｃの後端部から放射状に広がるように連接される。例えば、左方の指カバー１Ａは親指用、中央の指カバー１Ｂは人差し指用、また、右方の指カバー１Ｃは中指用としてそれぞれ構成される。左方の指カバー１Ａにおける中央の指カバー１Ｂに対する傾斜角度が、右方の指カバー１Ｃにおける中央の指カバー１Ｂに対する傾斜角度に比べて広く構成される。
このように装着される指の向きに応じて複数個の指カバー１Ａ・１Ｂ・１Ｃが予め連接されることによって、複数個の指カバー１Ａ・１Ｂ・１Ｃを用いて対象物を摘む際に、指に装着された指カバー１Ａ・１Ｂ・１Ｃが指から脱落しまたズレることを抑制することができる。
【００３６】
またこのように構成されるとき、複数個の指カバー１Ａ・１Ｂ・１Ｃ間にそれぞれ保護部６・６が設けられる。
保護部６・６は、指カバー１Ａ・１Ｂ・１Ｃが組上げられて指に装着された状態において、指と指の間の付け根部近傍に配置される。
保護部６・６は、平面視三角形状に形成されて、左方の指カバー１Ａの前片部４ａと中央の指カバー１Ｂの前片部４ｂとの境界部分、および、右方の指カバー１Ｃの前片部４ｃと中央の指カバー１Ｂの前片部４ｂとの境界部分にそれぞれ配置される。左方の保護部６Ｌは、左方の指カバー１Ａの前片部４ａの右縁部と、中央の指カバー１Ｂの前片部４ｂの左縁部と、に連接される。右方の保護部６Ｒは、右方の指カバー１Ｃの前片部４ｃの左縁部と、中央の指カバー１Ｂの前片部４ｂの右縁部と、に連接される。
このように構成されることによって、使用者の指に装着されて対象物を摘んだ際に、指や手の平が汚れることを防止することができる。
【００３７】
また図１６に示す複数個の指カバー１Ａ・１Ｂ・１Ｃについて、裏側に向けた状態で一対の横片部３・３を環状に構成することによって、左手用のものとして用いることもできる。また、三個以上の指カバー１を予め連接して一体的に構成することもできる。
【００３８】
また、図１７に示すように、二個の指カバー１Ａ・１Ｂが予め連接されて一体的に構成することもできる。二個の指カバー１Ａ・１Ｂのそれぞれの基部２ａ・２ｂの後端部が予め連接され、複数個の指カバー１Ａ・１Ｂが上下対称となるように連接される。例えば、上方の指カバー１Ａは親指用、また、下方の指カバー１Ｂは人差し指用としてそれぞれ構成される。
【００３９】
また、図１８に示すように、横片部３が連結手段１０を有さず、また、左右の横片部３の長さを同一に構成することもできる。このとき、展開状態の指カバー１を組上げる際に、一対の横片部３・３のそれぞれの先端部同士を重ね合わせた状態でシール部材７によって止め合わせることによって、環状に形成された一対の横片部３・３を連結する（図１９参照）。シール部材７は、例えば、小片のフィルムの裏面に接着剤が設けられて構成される。
このように構成することによって、展開状態の指カバー１をより簡易に組上げることができる。
【００４０】
また、図１８に示すように、前片部４は、先端側に行くに従って若干左右幅が狭くなるようにテーパ状に構成することもできる。このように構成することによって、展開状態の指カバー１を組上げる際において、環状に形成された一対の横片部３・３内に前片部４を挿入する動作をより簡易に行うことができる。
また、基部２と横片部３との境界部分に弧状の切欠き部８を備える構成とすることもでる。このように構成することによって、基部２や横片部３等を動かした際に基部２と横片部３との境界部分に応力が集中して、基部２と横片部３との境界部分が損傷（例えば、裂けたり、また破れたり等）することを抑制することができる。
【００４１】
また、図２０から図２１に示すように、横片部３は、基部２の前端部に連接されることに加えて、前片部４にも連接される構成とすることもできる。
このとき、基部２に連接される一対の横片部３ＬＡ・３ＲＡは、基部２ａの前端部から左右方向にそれぞれ延出し、前片部４ａに連接される一対の横片部３ＬＢ・３ＲＢは、基部２の前端部から左右方向にそれぞれ延出する。
【００４２】
連結手段１０は、横片部３ＬＡ・３ＲＡ・３ＬＢ・３ＲＢのそれぞれに設けられる切込み１１で構成される。
基部２ａに連接される左方の横片部３ＬＡの切込み１１は、左端部の下縁部から前方に向かって形成され、右方の横片部３ＲＡの切込み１１は、右端部の下縁部から前方に向かって形成される。前片部４ａに連接される左方の横片部３ＬＢの切込み１１は、左端部の下縁部から前方に向かって形成され、右方の横片部３ＲＢの切込み１１は、右端部の下縁部から前方に向かって形成される。
【００４３】
カバー部５は、横片部３ＬＡ・３ＬＡと前片部４ａとの境界部分にそれぞれ配置されることに加えて、横片部３ＬＢ・３ＬＢと前片部４ａとの境界部分にも配置される。横片部３ＬＡ・３ＬＡと前片部４ａとの境界部分に配置されるものをカバー部５ＬＡ・５ＲＡとし、横片部３ＬＢ・３ＬＢと前片部４ａとの境界部分にも配置されるものをカバー部５ＬＢ・５ＲＢとする。
【００４４】
このように構成されるとき、展開状態の指カバー１を組上げる際には、前片部４ａを、上後方に湾曲させつつ、横片部ＬＡの切込み１１と横片部ＬＢの切込み１１同士を差込むようにして連結し、横片部ＲＡの切込み１１と横片部ＲＢの切込み１１同士を差込むようにして連結する。
このように、横片部３は前片部４にも連接され、カバー部５は、横片部３と前片部４との境界部分にも配置されることから、使用者の指に装着されたときに比較的広範囲に指を覆うことができ、使用者の指に装着されて対象物を摘んだ指が汚れることをより確実に防止することができる。
【００４５】
なお、図１８から図２１に示す指カバー１のように複数個の指カバー１が一体的に構成されることに限定されず、また、連接される指カバー１の個数についても三個以上であってもよいものとする。
また、図２０または図２１に示す指カバー１の連結手段１０の切込み１１の個数については、単数個または三個以上で構成することもできる。また、横片部３・３の連結手段１０は、切込み１１に代えて、ロック部１２（ロック部１４）と挿入口１３とで構成することもできる。また、連結手段１０は、切込み１１に代えて、横片部３の表面または裏面に再剥離および再粘着可能な低粘着の接着剤１５が設けられて、指カバー１を組上げる際に、一対の横片部３・３同士を接着剤によって連結する構成とすることもできる。また、横片部３が連結手段１０を有さず、展開状態の指カバー１を組上げる際に、一対の横片部３・３のそれぞれの先端部同士を重ね合わせた状態でシール部材７によって止め合わせることによって、環状に形成された一対の横片部３・３を連結する構成とすることもできる。また、基部２と横片部３との境界部分または前片部４と横片部３との境界部分に切欠き部８を備える構成とすることもでる。
【符号の説明】
【００４６】
１    指カバー
２    基部
３    横片部
４    前片部
５    カバー部
７    シール部材
８    切欠き部
１０  連結手段
１１  切込み
２１  折返し部
２２  折線
【図１】
2020195763.tif 000003
【図２】
2020195763.tif 000004
【図３】
2020195763.tif 000005
【図４】
2020195763.tif 000006
【図５】
2020195763.tif 000007
【図６】
2020195763.tif 000008
【図７】
2020195763.tif 000009
【図８】
2020195763.tif 000010
【図９】
2020195763.tif 000011
【図１０】
2020195763.tif 000012
【図１１】
2020195763.tif 000013
【図１２】
2020195763.tif 000014
【図１３】
2020195763.tif 000015
【図１４】
2020195763.tif 000016
【図１５】
2020195763.tif 000017
【図１６】
2020195763.tif 000018
【図１７】
2020195763.tif 000019
【図１８】
2020195763.tif 000020
【図１９】
2020195763.tif 000021
【図２０】
2020195763.tif 000022
【図２１】
2020195763.tif 000023